(57)【要約】【課題】室内の調湿効果を高めることが可能なデシカント建具を提供する。【解決手段】デシカント窓１は、第１及び第２板材１０ａ，１０ｂの間に配置され、断面視して第１ガラス１０ａに沿う第１の辺３０ａと第１の辺３０ａに対して角度を有する第２及び第３の辺３０ｂ，３０ｃからなり、３種の光路を形成する透明性の三角柱プリズム３０と、第１及び第２板材１０ａ，１０ｂの間に配置され吸湿性を有すると共に、三角柱プリズム３０の第２の辺３０ｂに対して設置され、太陽熱を受領すると共に受領した熱を利用して加熱することで吸収した湿気を放出させるデシカント熱受領部４０とを備える。【選択図】図１
2019112889.tif 000002
【特許請求の範囲】
【請求項１】
透明性の１又は複数の板材によって構成された第１板材と、
１又は複数の板材によって構成され、前記第１板材と略平行配置された第２板材と、
前記第１及び第２板材の間に配置され吸湿性を有するデシカントエレメントと、
前記第１及び第２板材の間に配置され、断面視して前記第１板材に沿う第１の辺と前記第１の辺に対して角度を有する第２及び第３の辺からなり、前記第１板材を介して入射する太陽光に対して、直接前記第２の辺に到達するもの、前記第３の辺で全反射して前記第２の辺に到達するもの、及び、前記第３の辺及び前記第１の辺の順に全反射した後に前記第２の辺に到達するものの３種の光路を形成する透明性の三角柱プリズムと、
前記三角柱プリズムの前記第２及び第３の辺のうち下方側の辺となる前記第２の辺に対して設置され、太陽熱を受領すると共に受領した熱を利用して前記デシカントエレメントを加熱することで吸収した湿気を放出させる太陽熱受領部と、
を備えることを特徴とするデシカント建具。
【請求項２】
前記第２板材、及び前記デシカントエレメントは透明性である
ことを特徴とする請求項１に記載のデシカント建具。
【請求項３】
前記第１及び第２板材、前記デシカントエレメント、前記三角柱プリズム、及び前記太陽熱受領部を有する構造体を、上下方向及び左右方向の双方に少なくとも半回転以上回転可能な回転機構をさらに備え、
前記デシカントエレメントと前記太陽熱受領部とは一体となってデシカント熱受領部を構成し、
前記デシカント熱受領部は、断面視して前記三角柱プリズムと略同形状であって点対称となる向きに配置されている
ことを特徴とする請求項２に記載のデシカント建具。
【請求項４】
前記第１及び第２板材の間に配置され吸湿性を有する透明性の第２デシカントエレメントと、
前記第１及び第２板材の間に配置され、断面視して前記第２板材に沿う第４の辺と前記第４の辺に対して角度を有する第５及び第６の辺からなり、前記第２板材を介して入射する太陽光に対して、直接前記第５の辺に到達するもの、前記第６の辺で全反射して前記第５の辺に到達するもの、及び、前記第６の辺及び前記第４の辺の順に全反射した後に前記第５の辺に到達するものの３種の光路を形成する透明性の第２三角柱プリズムと、
前記第２三角柱プリズムの前記第５及び第６の辺のうち上方側の辺となる前記第５の辺に接して設けられ、太陽熱を受領すると共に受領した熱を利用して前記第２デシカントエレメントを加熱して吸収した湿気を放出させる第２太陽熱受領部と、
前記第１及び第２板材、前記デシカントエレメント、前記第２デシカントエレメント、前記三角柱プリズム、前記第２三角柱プリズム、前記太陽熱受領部、及び前記第２太陽熱受領部を有する構造体を、少なくとも半回転以上上下方向に回転可能な回転機構と、を更に備え、
前記デシカントエレメントと前記三角柱プリズムとは一体となって第１デシカントプリズムを構成し、
前記第２デシカントエレメントと前記第２三角柱プリズムとは一体となって第２デシカントプリズムを構成し、
断面視して前記第１デシカントプリズムと前記第２デシカントプリズムとは点対称に配置されている
ことを特徴とする請求項２に記載のデシカント建具。
【請求項５】
前記第１及び第２板材の間に配置され吸湿性を有する透明性の第２デシカントエレメントと、
前記第１及び第２板材の間に配置され、断面視して前記第２板材に沿う第４の辺と前記第４の辺に対して角度を有する第５及び第６の辺からなり、前記第２板材を介して入射する太陽光に対して、直接前記第５の辺に到達して前記第５の辺から出射されるものと、前記第６の辺で全反射して前記第５の辺に到達して前記第５の辺から出射されるものと、前記第６の辺及び前記第４の辺の順に全反射した後に前記第５の辺に到達して前記第５の辺から出射されるものとの３種の光路を形成する透明性の第２三角柱プリズムと、
前記第１及び第２板材、前記デシカントエレメント、前記第２デシカントエレメント、前記三角柱プリズム、前記第２三角柱プリズム、及び前記太陽熱受領部を有する構造体を、少なくとも半回転以上上下方向に回転可能な回転機構と、を更に備え、
前記三角柱プリズムは、直接前記第２の辺に到達して前記第２の辺から出射されるものと、前記第３の辺で全反射して前記第２の辺に到達して前記第２の辺から出射されるものと、前記第３の辺及び前記第１の辺の順に全反射した後に前記第２の辺に到達して前記第２の辺から出射されるものとの３種の光路が存在し、
前記デシカントエレメントと前記三角柱プリズムとは一体となって第１デシカントプリズムを構成し、
前記第２デシカントエレメントと前記第２三角柱プリズムとは一体となって第２デシカントプリズムを構成し、
前記第２デシカントプリズムは、前記第５の辺が前記太陽熱受領部に対向配置されており、
前記太陽熱受領部は、前記第１デシカントプリズムの前記第２の辺と前記第２デシカントプリズムの前記第５の辺とのいずれか一方に対して接触可能に、これらの間で移動可能となっている
ことを特徴とする請求項２に記載のデシカント建具。
【請求項６】
前記太陽熱受領部は、前記回転機構による回転によって前記第１デシカントプリズムが室外側を向くときに前記第２デシカントプリズムの前記第５の辺に接触し、前記回転機構による回転によって前記第２デシカントプリズムが室外側を向くときに前記第１デシカントプリズムの前記第２の辺に接触する
ことを特徴とする請求項５に記載のデシカント建具。
【請求項７】
前記太陽熱受領部は、駆動手段により前記第１デシカントプリズムの前記第２の辺又は前記第２デシカントプリズムの前記第５の辺に接触するように移動させられる
ことを特徴とする請求項５に記載のデシカント建具。
【請求項８】
前記第１及び第２板材の間に配置され吸湿性液体を有する透明性の第２デシカントエレメントと、
前記第１及び第２板材の間に配置され、断面視して前記第２板材に沿う第４の辺と前記第４の辺に対して角度を有する第５及び第６の辺からなり、前記第２板材を介して入射する太陽光に対して、直接前記第５の辺に到達して前記第５の辺から出射されるものと、前記第６の辺で全反射して前記第５の辺に到達して前記第５の辺から出射されるものと、前記第６の辺及び前記第４の辺の順に全反射した後に前記第５の辺に到達して前記第５の辺から出射されるものとの３種の光路を形成する透明性の第２三角柱プリズムと、を更に備え、
前記三角柱プリズムは、直接前記第２の辺に到達して前記第２の辺から出射されるものと、前記第３の辺で全反射して前記第２の辺に到達して前記第２の辺から出射されるものと、前記第３の辺及び前記第１の辺の順に全反射した後に前記第２の辺に到達して前記第２の辺から出射されるものとの３種の光路が存在し、
前記デシカントエレメントは、吸湿性液体を有して構成されると共に、
前記デシカントエレメントと前記第２デシカントエレメントとは吸湿性液体が循環可能に配管接続され、
前記デシカントエレメントと前記三角柱プリズムとは一体となって第１デシカントプリズムを構成し、
前記第２デシカントエレメントと前記第２三角柱プリズムとは一体となって第２デシカントプリズムを構成し、
前記第２デシカントプリズムは、前記第５の辺が前記太陽熱受領部に対向配置されており、
前記太陽熱受領部は、駆動手段により前記第１デシカントプリズムの前記第２の辺又は前記第２デシカントプリズムの前記第５の辺に接触するように移動させられる
ことを特徴とする請求項２に記載のデシカント建具。
【請求項９】
前記デシカントエレメントは、透明性の多孔質部材、又は透明性の多孔質部材及び水蒸気透過性部材の少なくとも一方の外壁部材と前記外壁部材に確定される空間内に封入された吸湿性液体を有して構成されている
ことを特徴とする請求項１から請求項７のいずれか１項に記載のデシカント建具。
【請求項１０】
前記デシカントエレメント及び前記第２デシカントエレメントの少なくとも一方は、透明性の多孔質部材、又は透明性の多孔質部材及び水蒸気透過性部材の少なくとも一方の外壁部材と前記外壁部材に確定される空間内に封入された吸湿性液体を有して構成されている
ことを特徴とする請求項４から請求項７のいずれか１項に記載のデシカント建具。
【請求項１１】
吸湿性液体を有して構成される第２デシカントエレメントを更に備え、
前記第２デシカントエレメントと前記三角柱プリズムとは一体となってデシカントプリズムを構成し、
前記デシカント熱受領部は、吸湿性液体を有して構成され、
前記デシカントプリズムの吸湿性液体と前記デシカント熱受領部の吸湿性液体とが循環可能に配管接続されている
ことを特徴とする請求項３に記載のデシカント建具。
【請求項１２】
前記デシカントエレメント及び前記第２デシカントエレメントは吸湿性液体を有して構成され、
前記第１デシカントプリズムの吸湿性液体と前記第２デシカントプリズムの吸湿性液体とが循環可能に配管接続されている
ことを特徴とする請求項４から請求項７のいずれか１項に記載のデシカント建具。
【請求項１３】
前記三角柱プリズムよりも室内側において、吸湿性液体を有して構成される第２デシカントエレメントを更に備え、
前記デシカントエレメントと前記三角柱プリズムとは一体となってデシカントプリズムを構成し、
前記デシカントプリズムは、吸湿性液体を有して構成され、
前記デシカントプリズムの吸湿性液体と前記第２デシカントエレメントの吸湿性液体とが循環可能に配管接続されている
ことを特徴とする請求項１又は請求項２のいずれかに記載のデシカント建具。
【請求項１４】
前記第２デシカントエレメントの吸湿性液体に対して室内空気を送り込むと共に、吸湿性液体によって乾燥した空気を排出する第１配管と、
前記デシカントプリズムの吸湿性液体から放出された水蒸気を排出する第２配管と、
をさらに備えることを特徴とする請求項１３に記載のデシカント建具。
【請求項１５】
一端が外部に接続され、前記第２板材側に隣接する少なくとも上下方向に延びた第１空気流路と、
一端が前記第１空気流路に接続されると共に他端が外部に接続され、一方側が前記第１空気流路に隣接すると共に他方側が室内に隣接する少なくとも上下方向に延びた第２空気流路と、
前記第１空気流路に空気を送り込むポンプ手段と、
前記第２空気流路の一方側と他方側との双方の内面に液体を滴下する滴下手段と、
を備えることを特徴とする請求項１又は請求項２のいずれかに記載のデシカント建具。
【発明の詳細な説明】
【技術分野】
【０００１】
本発明は、デシカント建具に関する。
【背景技術】
【０００２】
従来、吸湿剤を有するデシカントシステムは、室内空気と大気との両方をダクト等により搬送し、機械装置内で吸湿剤による吸湿と再生とを行っている。このため、搬送動力や設備費が過大となってしまう。
【０００３】
そこで、建具として使用可能な吸湿構造体（デシカント建具）が提案されている（例えば特許文献１参照）。この吸湿構造体は、吸湿脱臭効果を有する壁体と、壁体の屋外側において壁体との間に空気層を形成するガラスとを備えており、空気層を室内側に連通させることで室内を除湿すると共に、空気層を屋外側に連通させることで湿気を放出して壁体を再生するようになっている。
【先行技術文献】
【特許文献】
【０００４】
【特許文献１】特開２００６−３２０６３５号公報
【発明の概要】
【発明が解決しようとする課題】
【０００５】
しかし、特許文献１に記載のデシカント建具は、ガラスを透過した太陽光をそのまま壁体に照射して再生を行うため、決して再生効率が高いとはいえず、室内の空調効果（調湿効果又は調温効果）の向上が望まれるものである。
【０００６】
本発明は、このような問題を解決するためになされたものであり、その目的とするところは、室内の調温効果を高めることが可能なデシカント建具を提供することにある。
【課題を解決するための手段】
【０００７】
本発明に係るデシカント建具は、第１板材と、第２板材と、デシカントエレメントと、三角柱プリズムと、太陽熱受領部とを備えている。デシカントエレメントは、第１及び第２板材の間に配置され吸湿性を有するものである。三角柱プリズムは、透明性であって、第１及び第２板材の間に配置され、断面視して第１板材に沿う第１の辺と第１の辺に対して角度を有する第２及び第３の辺からなり、第１板材を介して入射する太陽光に対して、３種の光路を形成する。３種の光路は、第１板材を介して入射する太陽光に対して、直接第２の辺に到達するもの、第３の辺で全反射して第２の辺に到達するもの、及び、第３の辺及び第１の辺の順に全反射した後に第２の辺に到達するものである。太陽熱受領部は、三角柱プリズムの第２及び第３の辺のうち下方側の辺となる第２の辺に対して設置され、太陽熱を受領すると共に受領した熱を利用してデシカントエレメントを加熱することで吸収した湿気を放出させる。
【発明の効果】
【０００８】
本発明によれば、３種の光路を形成する三角柱プリズムを備えるため、太陽熱受領部に対して効率的に太陽熱を受領させることができる。また、デシカントエレメントは、太陽熱受領部によって加熱されて吸収した湿気が放出させられるため、湿気放出による室内の加湿や、吸収した湿気の破棄（すなわち再生）についてより効率良く行うことができる。従って、室内の空調効果を高めることが可能なデシカント建具を提供することができる。
【図面の簡単な説明】
【０００９】
【図１】本発明の第１実施形態に係るデシカント窓を示す断面図である。
【図２】図１に示した三角柱プリズムの拡大図である。
【図３】第１実施形態に係るデシカント窓を示す斜視図であって、回転機構を示すものである。
【図４】第１実施形態に係るデシカント窓の作用の説明する図であって、（ａ）は第１状態と示し、（ｂ）は第２状態を示し、（ｃ）は第３状態を示し、（ｄ）は第４状態を示している。
【図５】第２実施形態に係るデシカント窓を示す断面図である。
【図６】第２実施形態に係るデシカント窓を示す斜視図であって、回転機構を示すものである。
【図７】第３実施形態に係るデシカント窓を示す断面図である。
【図８】図７に示した太陽熱受領部の拡大図である。
【図９】第４実施形態に係るデシカント窓を示す斜視図である。
【図１０】図９に示した第１デシカントプリズム、太陽熱受領部、及びデシカントエレメントを示す拡大断面図である。
【図１１】第５実施形態に係るデシカント窓を示す斜視図である。
【図１２】第６実施形態に係るデシカント窓を示す断面図である。
【図１３】変形例に係るデシカント窓を示す断面図である。
【図１４】第２変形例に係るデシカント窓を示す断面図である。
【発明を実施するための形態】
【００１０】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾点が発生しない範囲内において、適宜公知又は周知の技術が適用されていることはいうまでもない。
【００１１】
図１は、本発明の第１実施形態に係るデシカント窓を示す断面図である。なお、以下では、窓（開閉の可否を問わない）として適用可能なデシカント窓をデシカント建具の一例として説明するが、デシカント建具は窓に適用されるものに限らず、外壁材などであってもよい。
【００１２】
図１に示す例に係るデシカント窓１は、概略的に２枚の板材１０と、周端部材２０と、複数の三角柱プリズム３０と、複数のデシカント熱受領部（デシカントエレメント、太陽熱受領部）４０とを備えている。これらは互いに組み付けられて概略的に平板構造となっている。
【００１３】
２枚の板材１０は、互いに空間を有して略平行配置される透明性且つ水蒸気透過性の板材である。これらの板材１０は例えば多孔質ガラス、シリコーン、サージカルフィルム等に使用される透湿性ポリウレタン樹脂、及びＴｙｖｅｋ（登録商標）等の透湿水密フィルムによって構成されている。
【００１４】
周端部材２０は、２枚の板材１０の周端部において２枚の板材１０の間に介在するものである。２枚の板材１０の周端部に周端部材２０が設けられることによって、２枚の板材１０と周端部材２０とによって閉じられた内部空間が形成される。
【００１５】
複数の三角柱プリズム３０と複数のデシカント熱受領部４０とは、２枚の板材１０と周端部材２０とで形成される内部空間に配置されるものである。なお、複数の三角柱プリズム３０と複数のデシカント熱受領部４０との間には、水蒸気を不透過とする板材等が設けられることが好ましい。
【００１６】
複数の三角柱プリズム３０は、それぞれが断面視して三角形状となるプリズム（すなわち三角柱形状のプリズム）で構成されている。これらの三角柱プリズム３０は、第１の辺３０ａが第１ガラス（第１板材）１０ａに沿うように第１ガラス１０ａに面して配置されている。三角柱プリズム３０の第２の辺３０ｂと第３の辺３０ｃは、第１の辺３０ａに対して所定の角度を有して延びている。第２の辺３０ｂは、第３の辺３０ｃよりも鉛直下方側に位置する辺である。
【００１７】
図２は、図１に示した三角柱プリズム３０の拡大図である。図２に示すように、三角柱プリズム３０は、中実のガラス材や樹脂材等の透明性部材によって構成されている。なお、三角柱プリズム３０は、三角柱プリズム３０の外壁を構成するプリズム壁と、プリズム壁の内部に封入される透明性の液体、ゲル状体、及び固体等からなる内部部材とによって構成されていてもよい。
【００１８】
再度図１を参照する。複数のデシカント熱受領部４０は、それぞれが透明性のプリズム（デシカントエレメント）４１と、選択吸収部（太陽熱受領部）４２とを備えて構成されている。透明性のプリズム４１は、多孔質部材によって構成され、吸湿性を有するデシカントエレメントとして機能するものである。この透明性のプリズム４１は、それぞれが断面視して三角形状となるプリズム（すなわち三角柱形状のプリズム）であって、三角柱プリズム３０と同形状且つ同屈折率となっている。
【００１９】
具体的に説明すると、透明性のプリズム４１それぞれは、第４の辺４０ａが第２ガラス（第２板材）１０ｂに沿うように第２ガラス１０ｂに面して配置されている。プリズム４１の第５の辺４０ｂと第６の辺４０ｃは、第４の辺４０ａに対して所定の角度を有して延びている。第５の辺４０ｂは、第６の辺４０ｃよりも鉛直上方側に位置する。このようなプリズム４１は、第６の辺４０ｃが左右方向に隣接する三角柱プリズム３０の第３の辺３０ｃと対向しており、第５の辺４０ｂが上下方向に隣接する三角柱プリズム３０の第２の辺３０ｂと対向している。
【００２０】
選択吸収部４２は、プリズム４１に接触状態で設けられるものであって、プリズム４１の第５の辺４０ｂに対して設けられている。この選択吸収部４２は、太陽光波長領域（０．３〜２．５μｍ）では吸収率が大きく、赤外線波長領域（３．０〜２０μｍ）では放射率が小さくされたものである。また、選択吸収部４２は、非透明性であるため、プリズム４１と選択吸収部４２とからなるデシカント熱受領部４０は、一部が非透明性で残部が透明性であるといえる。
【００２１】
上記のようなデシカント熱受領部４０は、三角柱プリズム３０を１８０°回転させた点対称となる向きに配置されており、それぞれの三角柱プリズム３０に対して１つずつ設けられている。
【００２２】
ここで、三角柱プリズム３０のみしか有しない場合には、三角柱プリズム３０によって光が屈折して、室内側から視認したときの景色には歪みが生じる（すなわち散乱光ＳＬが大きく歪む）。しかし、デシカント熱受領部４０が三角柱プリズム３０と対になって設けられることにより、室内側から視認したときの景色の歪みが透明性のプリズム４１により抑えられることとなる（像回復効果を有することとなる）。
【００２３】
再び図２を参照する。本実施形態に係る三角柱プリズム３０は以下の３種の光路を実現可能な屈折率や三角の各内角が設定されている。３種の光路ＯＰ１〜ＯＰ３のうち第１光路ＯＰ１は、第１ガラス１０ａを通過して第１の辺３０ａから三角柱プリズム３０内に進入した太陽光が、直接第２の辺３０ｂに到達して第２の辺３０ｂから三角柱プリズム３０外に出るものである。第２光路ＯＰ２は、当該太陽光が第３の辺３０ｃで全反射して第２の辺３０ｂに到達して第２の辺３０ｂから当該三角柱プリズム３０外に出るものである。第３光路ＯＰ３は、第３の辺３０ｃ及び第１の辺３０ａの順に全反射した後に第２の辺３０ｂに到達して第２の辺３０ｂから三角柱プリズム３０外に出るものである。
【００２４】
このような第１〜第３光路ＯＰ１〜ＯＰ３が実現されるためには、第１光路ＯＰ１の第２の辺３０ｂへの入射角は臨界角未満である必要がある。また、第２光路ＯＰ２の第３の辺３０ｃへの入射角は臨界角以上であり、全反射後の第２の辺３０ｂへの入射角は臨界角未満である必要がある。さらに、第３光路ＯＰ３の第３の辺３０ｃへの入射角は臨界角以上であり、全反射後の第１の辺３０ａへの入射角は臨界角以上であり、更に全反射後の第２の辺３０ｂへの入射角は臨界角未満である必要がある。なお、三角柱プリズム３０が第２光路ＯＰ２及び第３光路ＯＰ３の条件を満たす場合、三角柱プリズム３０内において３回以上の全反射の条件は必ず満たされる。
【００２５】
このように、三角柱プリズム３０が３種の光路ＯＰ１〜ＯＰ３を実現する構成となっているため、デシカント熱受領部４０は太陽熱を効率良く受領することができ、自身を効率良く加熱することができる。デシカント熱受領部４０は、吸湿性部材であることから、加熱されることによって湿気を放出することとなる。
【００２６】
なお、第１実施形態において三角柱プリズム３０は屈折率１．４１のもので構成することを想定しているが、特にこれに限るものではない。さらに、デシカント熱受領部４０（特にプリズム４１）は、透明性の多孔質部材に限らず、透明性の多孔質部材及び水蒸気透過性部材の少なくとも一方の外壁部材と、外壁部材に確定される空間内に封入された吸湿性液体等とから構成されていてもよい。
【００２７】
図１を参照する。上記のような三角柱プリズム３０とデシカント熱受領部４０とは、断面視してデシカント窓１の高さ及び厚みの中心位置ＣＰを中心に略点対称となっている。このため、後述するように、デシカント窓１が左右位置を維持したまま上下回転（上下方向に半回転）させられた場合には、デシカント熱受領部４０が３種の光路ＯＰ４〜ＯＰ６（図４参照）を実現することとなる。
【００２８】
ここでの３種の光路ＯＰ４〜ＯＰ６のうち第４光路ＯＰ４は、第２ガラス１０ｂを通過して第１の辺４０ａからデシカント熱受領部４０内に進入した太陽光が、直接第５の辺４０ｂに到達するものである。第５光路ＯＰ５は、当該太陽光が第６の辺４０ｃで全反射して第５の辺４０ｂに到達するものである。第６光路ＯＰ６は、第６の辺４０ｃ及び第４の辺４０ａの順に全反射した後に第５の辺４０ｂに到達するものである。
【００２９】
図３は、第１実施形態に係るデシカント窓１を示す斜視図であって、回転機構を示すものである。なお、以下の説明において、デシカント窓１のうち回転機構５０を除く構成（２枚の板材１０、周端部材２０、三角柱プリズム３０及びデシカント熱受領部４０）を積層体（構造体）Ｌと称する。
【００３０】
図３に示すように、第１実施形態に係るデシカント窓１は、室外側に更に室外ルーバーＴＬを備えている。このため、図３に示すデシカント窓１は、室外ルーバーＴＬに積層体Ｌが接触することなく上下方向及び左右方向に半回転可能に構成されている。
【００３１】
図３に示す例において回転機構５０は、第１ピボット５１ａと、第２ピボット５１ｂと、第１窓枠５２ａと、第２窓枠５２ｂと、不図示の第１及び第２ロック手段とを備えている。
【００３２】
第１窓枠５２ａは、建物側に固定された矩形枠である。第２窓枠５２ｂは左右のいずれかの端部ＬＷ１に第１ピボット５１ａが設けられると共に、第１ピボット５１ａは第１窓枠５２ａの上下部材５２ａ１に対してスライド可能となっている。また、第２ピボット５１ｂは、積層体Ｌの上下方向中間部に取り付けられると共に、矩形の第２窓枠５２ｂの左右部材５２ｂ１の中央部にそれぞれ回転自在に設けられている。
【００３３】
このため、以下のようにして回転動作を行うことができる。まず、第１窓枠５２ａの左右部材５２ａ２のうちの一方に、第２窓枠５２ｂの第１ピボット５１ａ側の端部ＬＷ１が位置しているとする。この状態から、第１ロック手段が解除され、第２窓枠５２ｂの第１ピボット５１ａが設けられていない側の端部ＬＷ２が室内側に引き出される。次に、第２ロック手段が解除され、第２ピボット５１ｂを中心にして積層体Ｌが上下方向に半回転させられる。そして、第２ロック手段によりロックされる。次いで、第２窓枠５２ｂの第１ピボット５１ａ側の端部ＬＷ１が、第１窓枠５２ａの左右部材５２ａ２のうちの他方にスライドさせられる。その後、第２窓枠５２ｂの端部ＬＷ２が左右部材５２ａ２のうちの一方側となるように第２窓枠５２ｂが第１窓枠５２ａに嵌め込まれ第１ロック手段でロックされる。
【００３４】
以上のように、室外側に室外ルーバーＴＬを有するデシカント窓１において、積層体Ｌを上下方向及び左右方向の双方に回転可能となっている。
【００３５】
次に、図４を参照して、第１実施形態に係るデシカント窓１の作用を説明する。図４は、第１実施形態に係るデシカント窓１の作用の説明する図であって、（ａ）は第１状態と示し、（ｂ）は第２状態を示し、（ｃ）は第３状態を示し、（ｄ）は第４状態を示している。
【００３６】
まず、図４（ａ）に示すように、三角柱プリズム３０が室外側となりデシカント熱受領部４０が室内側に向いているとする（第１状態とする）。この場合において、三角柱プリズム３０は、入射した太陽光を３種の光路ＯＰ１〜ＯＰ３によってデシカント熱受領部４０の選択吸収部４２にまで導く。これにより、デシカント熱受領部４０は、３種の光路ＯＰ１〜ＯＰ３によって効率的に加熱され、デシカント熱受領部４０から湿気が放出される。すなわち、室内に加湿効果をもたらすことができる。
【００３７】
また、図４（ｂ）に示すように、上記回転機構５０を利用して第１状態から上下方向を維持したまま左右方向（水平方向）に半回転させた場合には、デシカント熱受領部４０が室外側に向くこととなる（第２状態とする）。この場合、三角柱プリズム３０は３種の光路ＯＰ１〜ＯＰ３を実現できなくなることから、デシカント熱受領部４０は加熱されず湿気を吸収することとなる。
【００３８】
特に、第１実施形態に係るデシカント窓１は、例えば冬季の昼間に第１状態とされることで、冬季に乾燥する室内を加湿でき、冬季の夜間に第２状態とされることで、夜間の湿気を吸収することができる。すなわち、第１状態と第２状態とを繰り返すことで、継続的な室内の加湿を行うことができる。
【００３９】
加えて、図４（ｃ）に示すように、上記回転機構５０を利用して第１状態から左右方向を維持したまま上下方向に半回転させた場合には、上下が反転してデシカント熱受領部４０が室外側に向くこととなる（第３状態とする）。すなわち、図１に示した三角柱プリズム３０の位置にデシカント熱受領部４０が位置し、図１に示したデシカント熱受領部４０の位置に三角柱プリズム３０が位置することとなる。この場合、デシカント熱受領部４０は３種の光路ＯＰ４〜ＯＰ６を実現し、太陽光を選択吸収部４２まで導く。これにより、デシカント熱受領部４０は加熱されて湿気が放出される。
【００４０】
また、図４（ｄ）に示すように、上記回転機構５０を利用して第３状態から上下方向を維持したまま左右方向（水平方向）に半回転させた場合には、三角柱プリズム３０が室外側に向くこととなる（第４状態とする）。しかしながら、三角柱プリズム３０は上下反転しており、３種の光路ＯＰ１〜ＯＰ３を実現できなくなることから、デシカント熱受領部４０は加熱されず湿気を吸収することとなる。
【００４１】
特に、第１実施形態に係るデシカント窓１は、例えば夏季の夜間に第４状態とされることで、夏季に室内から吸湿でき、夏季の昼間に第３状態とされることで、湿気を吸収したデシカント熱受領部４０を再生することができる。すなわち、第３状態と第４状態とを繰り返すことで、継続的な室内の除湿を行うことができる。
【００４２】
以上のように、第１実施形態に係るデシカント窓１は、上下回転及び左右回転を可能とすることで、季節に応じて室内を調湿できると共に、その調湿効果を継続的にもたらすことができる。
【００４３】
このようにして、第１実施形態に係るデシカント窓１によれば、３種の光路ＯＰ１〜ＯＰ３を形成する三角柱プリズム３０を備えるため、デシカント熱受領部４０に対して効率的に太陽熱を受領させることができる。また、デシカント熱受領部４０は、自身によって加熱されて吸収した湿気が放出させられるため、湿気放出による室内の加湿や、吸収した湿気の破棄（すなわち再生）についてより効率良く行うことができる。従って、室内の調湿効果を高めることが可能なデシカント窓１を提供することができる。
【００４４】
また、第２ガラス１０ｂ及びプリズム４１は透明性であるため、窓として使用可能なデシカント窓１を提供することができる。
【００４５】
さらに、上下方向及び左右方向の双方に回転可能であって、吸湿性のプリズム４１と選択吸収部４２とは一体となって透明性のデシカント熱受領部４０を構成しており、デシカント熱受領部４０は、断面視して三角柱プリズム３０と点対称構造となっている。このため、回転機構５０を利用して三角柱プリズム３０がデシカント熱受領部４０よりも上側且つ室外側に配置された第１状態には、三角柱プリズム３０によりデシカント熱受領部４０を効率的に加熱して室内に湿気放出することができる。また、上記第１状態から、左右方向に半回転させた第２状態にはデシカント熱受領部４０を単なる吸湿剤として使用することができ、湿気を蓄えさせることができる。さらに、上記第１状態から、上下方向に半回転させた第３状態には、三角柱プリズム３０の同形状のデシカント熱受領部４０により３種の光路ＯＰ４〜ＯＰ６を実現してデシカント熱受領部４０を加熱して再生を行うことができる。さらに、上記第１状態から、左右方向及び上下方向にそれぞれ回転させた第４状態には、デシカント熱受領部４０を単なる吸湿剤として使用することができ、室内を除湿することができる。そして、これらを季節や時間帯に合わせて入れ替えて使用することで、季節に応じた調湿効果を得ることができる。
【００４６】
また、デシカント熱受領部４０は、透明性の多孔質部材、又は、透明性の多孔質部材及び水蒸気透過性部材の少なくとも一方の外壁部材と外壁部材に確定される空間内に封入された吸湿性液体とから構成されるため、固体や液体を利用した種々の構成を用いることができる。
【００４７】
次に本発明の第２実施形態を説明する。第２実施形態に係るデシカント窓は以下の構成となっている。以下、第２実施形態の説明において、第１実施形態と同一又は同様の要素には同一の符号を付すものとする。
【００４８】
図５は、第２実施形態に係るデシカント窓を示す断面図である。図５に示すように、第２実施形態に係るデシカント窓２は、概略的に２枚の板材１０と、周端部材２０と、複数の第１デシカントプリズム（デシカントエレメント、三角柱プリズム）６０と、複数の第１太陽熱受領部（太陽熱受領部）７０と、複数の第２デシカントプリズム（第２デシカントエレメント、第２三角柱プリズム）８０と、複数の第２太陽熱受領部９０とを備えている。
【００４９】
複数の第１デシカントプリズム６０は、それぞれが透明性の多孔質部材によって構成され、デシカントエレメントと三角柱プリズムとが一体となったものである。すなわち、第１デシカントプリズム６０は、第１実施形態に係る三角柱プリズム３０に、吸湿性を有するデシカントエレメントの機能を付与したものである。この第１デシカントプリズム６０は、第１実施形態に係る三角柱プリズム３０と同様に、それぞれが断面視して三角形状となるプリズム（すなわち三角柱形状のプリズム）で構成されている。第１デシカントプリズム６０は、第１の辺６０ａが第１ガラス１０ａに沿うように第１ガラス１０ａに面して配置されている。第１デシカントプリズム６０の第２の辺６０ｂと第３の辺６０ｃは、第１の辺６０ａに対して所定の角度を有して延びている。第２の辺６０ｂは、第３の辺６０ｃよりも鉛直下方側に位置する辺である。
【００５０】
複数の第１太陽熱受領部７０は、例えば選択吸収膜によって構成されており、第１デシカントプリズム６０の第２の辺６０ｂに接して設けられたものである。この第１太陽熱受領部７０は、第１デシカントプリズム６０を介して入射する太陽光から太陽熱を受領するものであって、太陽光波長領域（０．３〜２．５μｍ）では吸収率が大きく、赤外線波長領域（３．０〜２０μｍ）では放射率が小さくされたものである。
【００５１】
ここで、第２実施形態において第１デシカントプリズム６０は、３種の光路ＯＰ４〜ＯＰ６を実現するように、屈折率及び三角の各内角が設定されている。３種の光路ＯＰ４〜ＯＰ６のうち第４光路ＯＰ４は、第１ガラス１０ａを通過して第１の辺６０ａから第１デシカントプリズム６０内に進入した太陽光が、直接第２の辺６０ｂに到達するものである。第５光路ＯＰ５は、当該太陽光が第３の辺６０ｃで全反射して第２の辺６０ｂに到達するものである。第６光路ＯＰ６は、第３の辺６０ｃ及び第１の辺６０ａの順に全反射した後に第２の辺６０ｂに到達するものである。
【００５２】
複数の第２デシカントプリズム８０は、第１デシカントプリズム６０と同様に透明性の多孔質部材によって構成され、２枚の板材１０の間に配置された吸湿性を有するものである。また、第２デシカントプリズム８０は、第１デシカントプリズム６０と同形状及び同屈折で形成されており、断面視して第１デシカントプリズム６０と点対称となる向きに配置されている。すなわち、第２デシカントプリズム８０は、第４の辺８０ａが第２ガラス１０ｂに沿うように第２ガラス１０ｂに面して配置されている。第２デシカントプリズム８０の第５の辺８０ｂと第６の辺８０ｃは、第４の辺８０ａに対して所定の角度を有して延びている。第５の辺８０ｂは、第６の辺８０ｃよりも鉛直上方側に位置する。
【００５３】
また、デシカント窓２が左右位置を維持したまま上下回転（上下方向に半回転）させられた場合には、第２デシカントプリズム８０が上記の３種の光路ＯＰ４〜ＯＰ６を実現することとなる。さらに、第１デシカントプリズム６０と第２デシカントプリズム８０とが同形状であり対となっていることから、像回復効果をもたらすことができる。すなわち、室内側からユーザが景色を視認した場合に、景色の歪みを抑える構成となっている（すなわち散乱光ＳＬの歪みを抑えるようになっている）。
【００５４】
複数の第２太陽熱受領部９０は、第１太陽熱受領部７０と同様に選択吸収膜によって構成されたものである。この第２太陽熱受領部９０は、第２デシカントプリズム８０の第５の辺８０ｂに接して設けられたものである。
【００５５】
なお、第２実施形態に係る第１デシカントプリズム６０と第２デシカントプリズム８０とは、第１実施形態と同様に、透明性の多孔質部材に限らず、透明性の多孔質部材及び水蒸気透過性部材の少なくとも一方の外壁部材と、外壁部材に確定される空間内に封入された吸湿性液体等とから構成されていてもよい。
【００５６】
図６は、第２実施形態に係るデシカント窓２を示す斜視図であって、回転機構を示すものである。なお、以下の説明において、デシカント窓２のうち回転機構５０を除く構成（２枚の板材１０、周端部材２０、第１デシカントプリズム６０、第１太陽熱受領部７０、第２デシカントプリズム８０、及び第２太陽熱受領部）を積層体（構造体）Ｌと称する。
【００５７】
図６に示すように、デシカント窓２は、積層体Ｌの室外側にジャロジー窓とも呼ばれる透明ルーバーＴＬ１を備えている。また、デシカント窓２は、積層体Ｌの室内側に室内ルーバーＴＬ２を備えている。さらに、第２実施形態に係るデシカント窓２は回転機構５０を備えている。回転機構５０は、ピボット５１と、窓枠５２と、不図示のロック手段とを備えており、積層体ＬがルーバーＴＬ１，ＴＬ２に接触することなく半回転可能となっている。
【００５８】
具体的に説明すると、ピボット５１は積層体Ｌの上下いずれか一方の端部ＬＴ２に設けられた回転軸部材である。このようなピボット５１は、積層体Ｌの左右辺にそれぞれ設けられている。窓枠５２は、積層体Ｌが嵌め込まれるものであり、窓枠５２に嵌め込まれた積層体Ｌは不図示のロック手段によって嵌め込まれた状態を維持するロック状態とされる。また、ピボット５１は窓枠５２の左右部材５２−１に対してスライド可能となっている。なお、室内ルーバーＴＬ２は、室内方向に開閉動作可能となっている。
【００５９】
このような構成であるため、以下のようにして回転動作を行うことができる。まず、窓枠５２の下端にピボット５１が位置しているものとする。この状態から室内ルーバーＴＬ２が開かれる。次に、ロック手段が解除され、積層体Ｌのうちピボット５１が設けられていない側の端部ＬＴ１が室内側に引き出される。次いで、積層体Ｌのピボット５１側の端部ＬＴ２が、窓枠５２に対して上方向にスライドさせられる。その後、積層体Ｌの端部ＬＴ２が窓枠６２の上端に達すると、積層体Ｌが窓枠６２に嵌め込まれ、ロック手段によりロックされる。最後に室内ルーバーＴＬ２が閉じられる。
【００６０】
以上により、上下方向への半回転動作が行われる。上下方向への半回転動作が行われると、第１デシカントプリズム６０と第２デシカントプリズム８０との位置が入れ替わることとなる。
【００６１】
次に、第２実施形態に係るデシカント窓２の作用を説明する。まず、図５に示すように、第１デシカントプリズム６０が室外側に位置しており、第２デシカントプリズム８０が室内側に位置しているものとする。
【００６２】
この状態においては、太陽光が第１ガラス１０ａを介して第１デシカントプリズム６０に至る。第１デシカントプリズム６０では３種の光路ＯＰ４〜ＯＰ６が実現されることから、第１太陽熱受領部７０は効率良く太陽光を受光して太陽熱を受領する。これにより、第１デシカントプリズム６０は、第１ガラス１０ａを介して湿気を外気に放出することとなる。
【００６３】
一方、第２デシカントプリズム８０では、３種の光路ＯＰ４〜ＯＰ６が実現されずに、室内側の湿気を取り込むこととなる。すなわち、室内側の湿気は水蒸気透過性の第２ガラス１０ｂを介して第２デシカントプリズム８０に吸収される。よって、室内側には除湿効果がもたらされることとなる。
【００６４】
さらに、図６に示した回転機構５０を利用して積層体Ｌが左右位置を維持したまま上下方向に半回転させられたとする。この場合、第２デシカントプリズム８０が室外側に向き、第１デシカントプリズム６０が室内側に向くこととなる。
【００６５】
この状態においては、太陽光が第２ガラス１０ｂを介して第２デシカントプリズム８０に至る。第１デシカントプリズム６０と第２デシカントプリズム８０とは点対称配置であることから、第２デシカントプリズム８０においても３種の光路ＯＰ４〜ＯＰ６が実現される。これにより、第２太陽熱受領部９０は効率良く太陽光を受光して太陽熱を受領する。また、第２デシカントプリズム８０は、第２太陽熱受領部９０によって加熱されることとなり、湿気を放出することとなる。すなわち、室内側の湿気を取り込んだ第２デシカントプリズム８０から、湿気を放出して第２デシカントプリズム８０を再生することとなる。
【００６６】
一方、室内側となる第１デシカントプリズム６０は再生済みの状態となっており、室内側の湿気を取り込むこととなる。よって、室内側には除湿効果がもたらされることとなる。
【００６７】
以上のように、第２実施形態に係るデシカント窓２は、上下回転を可能とすることで、室内を除湿できると共に、その除湿効果を継続的にもたらすことができる。
【００６８】
このようにして、第２実施形態に係るデシカント窓２によれば、第１実施形態と同様に、室内の調湿効果を高めることができ、窓として使用可能なデシカント窓２を提供することができる。
【００６９】
さらに、第２実施形態によれば、第１デシカントプリズム６０と第２デシカントプリズム８０とを備えて、これらを点対称配置している。このため、第１デシカントプリズム６０が第２デシカントプリズム８０よりも室外側に位置する場合には、第１太陽熱受領部７０により効率良く第１デシカントプリズム６０を加熱して再生を行うことができる。一方、第２デシカントプリズム８０では室内の吸湿を行うことができる。また、第２デシカントプリズム８０によって充分に吸湿を行った場合には、上下方向に半回転させて第２デシカントプリズム８０を室外側とすれば、点対称配置であることから、第２太陽熱受領部９０により効率良く第２デシカントプリズム８０を再生することができる。さらに、第１デシカントプリズム６０については上下方向の半回転によって再生された状態で室内側に移動し、室内側の湿気を吸収することができる。従って、継続的な除湿効果を室内側にもたらすことができる。
【００７０】
また、第１デシカントプリズム６０と第２デシカントプリズム８０とは、透明性の多孔質部材、又は、透明性の多孔質部材及び水蒸気透過性部材の少なくとも一方の外壁部材と外壁部材に確定される空間内に封入された吸湿性液体とから構成されるため、固体や液体を利用した種々の構成を用いることができる。
【００７１】
次に本発明の第３実施形態を説明する。第３実施形態に係るデシカント窓は以下の構成となっている。以下、第３実施形態の説明において、第２実施形態と同一又は同様の要素には同一の符号を付すものとする。
【００７２】
図７は、第３実施形態に係るデシカント窓を示す断面図である。図７に示すように、第３実施形態に係るデシカント窓３は、第２実施形態と同様に、概略的に２枚の板材１０と、周端部材２０と、複数の第１デシカントプリズム（デシカントエレメント、三角柱プリズム）６０と、複数の第２デシカントプリズム（第２デシカントエレメント、第２三角柱プリズム）８０とを備えている。さらに、デシカント窓３は、複数の第１太陽熱受領部７０を備えており、第２太陽熱受領部９０を備えない構成となっている。
【００７３】
図８は、図７に示した第１太陽熱受領部７０の拡大図である。図８に示すように、第３実施形態に係る第１太陽熱受領部７０は、第１デシカントプリズム６０の第２の辺６０ｂと、第２デシカントプリズム８０の第５の辺８０ｂとの間で移動可能となっている。すなわち、第１太陽熱受領部７０は、図８に示す位置（第２デシカントプリズム８０の第５の辺８０ｂに接触する位置）から符号７０−１に示す位置（第１デシカントプリズム６０の第２の辺６０ｂに接触する位置）まで移動可能となっている。
【００７４】
このような第１太陽熱受領部７０は、回転機構５０による上下回転によって第１デシカントプリズム６０が室外側を向くときに、自重又はモータ動力等を利用して第２デシカントプリズム８０の第５の辺８０ｂに接触するようになっている。また、第１太陽熱受領部７０は、回転機構５０による上下回転によって第１デシカントプリズム６０が室外側を向くときに、自重又はモータ動力等を利用して第２デシカントプリズム８０の第５の辺８０ｂに接触するようになっている。
【００７５】
次に、第３実施形態に係るデシカント窓３の作用を説明する。まず、図７に示すように、第１デシカントプリズム６０が室外側に位置しており、第２デシカントプリズム８０が室内側に位置しているものとする。
【００７６】
この状態において、太陽光が第１ガラス１０ａを介して第１デシカントプリズム６０に至る。第１デシカントプリズム６０では３種の光路ＯＰ１〜ＯＰ３が実現されることから、第１太陽熱受領部７０は効率良く太陽光を受光して太陽熱を受領する。ここで、第１太陽熱受領部７０は、第２デシカントプリズム８０の第５の辺８０ｂに接していることから、第２デシカントプリズム８０を加熱する。これにより、第２デシカントプリズム８０は、第２ガラス１０ｂを介して湿気を外気に放出することとなる。よって、室内側には加湿効果がもたらされることとなる。
【００７７】
一方、第１デシカントプリズム６０は、室外側を向いていることから室外から湿気を吸収することとなる。
【００７８】
さらに、図６に示した回転機構５０を利用して積層体Ｌが左右位置を維持したまま上下方向に半回転させられたとする。この場合、第２デシカントプリズム８０が室外側に向き、第１デシカントプリズム６０が室内側に向くこととなる。
【００７９】
この状態においては、太陽光が第２ガラス１０ｂを介して第２デシカントプリズム８０に至る。第１デシカントプリズム６０と第２デシカントプリズム８０とは点対称構造であることから、第２デシカントプリズム８０においても３種の光路ＯＰ１〜ＯＰ３が実現される。これにより、第１太陽熱受領部７０は効率良く太陽光を受光して太陽熱を受領する。
【００８０】
また、第１太陽熱受領部７０は、上下方向に半回転させられたことにより、第１デシカントプリズム６０の第２の辺６０ｂに接することから、第１デシカントプリズム６０を加熱する。ここで、第１デシカントプリズム６０は、室外側に向いているときに湿気を吸収していることから、第１ガラス１０ａを介して湿気を外気に放出することとなる。よって、室内側には加湿効果がもたらされることとなる。
【００８１】
一方、第２デシカントプリズム８０は、室外側を向いていることから室外から湿気を吸収することとなる。
【００８２】
特に、第３実施形態に係るデシカント窓３は、上下回転を繰り返すことで室内側のデシカントプリズム６０，８０を加熱して室内側を加湿できると共に、その加湿効果を継続的にもたらすことができる。
【００８３】
このようにして、第３実施形態に係るデシカント窓３によれば、第２実施形態と同様に、室内の調湿効果を高めることができ、窓として使用可能なデシカント窓３を提供することができる。さらに、第１デシカントプリズム６０と第２デシカントプリズム８０とについて、固体や液体を利用した種々の構成を用いることができる。
【００８４】
さらに、第３実施形態によれば、第１太陽熱受領部７０は、回転機構５０による回転によって第１デシカントプリズム６０が室外側を向くときに第２デシカントプリズム８０の第５の辺８０ｂに接触し、回転機構５０による回転によって第２デシカントプリズム８０が室外側を向くときに第１デシカントプリズム６０の第２の辺６０ｂに接触する。このため、第１デシカントプリズム６０と第２デシカントプリズム８０のうち室内側に位置する方を加熱し続けることができ、室内に加湿効果をもたらすことができる。一方、室外側に位置する方は加熱されないことから、大気中の湿気を蓄えることができる。従って、継続的な除湿効果を室内側にもたらすことができる。
【００８５】
なお、第３実施形態においては、第１太陽熱受領部７０が常に室内側のデシカントプリズム６０，８０に接するようになっている。しかし、どちらが室内側であるか室外側であるかによらず、モータ（駆動手段）等の動力を利用して、第１デシカントプリズム６０の第２の辺６０ｂと第２デシカントプリズム８０の第５の辺８０ｂとのいずれか一方に対して第１太陽熱受領部７０を接触させるようになっていてもよい。これにより、例えば第１デシカントプリズム６０が室外側に位置するときに、第１太陽熱受領部７０を上方移動させて第１デシカントプリズム６０の第２の辺６０ｂに接触させることや、第２デシカントプリズム８０が室外側に位置するときに、第１太陽熱受領部７０を上方移動させて第２デシカントプリズム８０の第５の辺８０ｂに接触させることができるからである。
【００８６】
そして、上記のように構成した場合には、室外側のデシカントプリズム６０，８０を太陽光を利用して加熱するときに、室内側のデシカントプリズム６０，８０で室内の除湿を行い、室外側のデシカントプリズム６０，８０を加熱して再生することができる。また、室内側のデシカントプリズム６０，８０を太陽光を利用して加熱するときに、室外側のデシカントプリズム６０，８０で外気から吸湿し、室内側のデシカントプリズム６０，８０を加熱して室内を加湿することができる。よって、加湿と除湿とを選択可能なデシカント窓３とすることができる。
【００８７】
次に本発明の第４実施形態を説明する。第４実施形態に係るデシカント窓は以下の構成となっている。以下、第４実施形態の説明において、第２実施形態と同一又は同様の要素には同一の符号を付すものとする。
【００８８】
図９は、第４実施形態に係るデシカント窓を示す斜視図である。なお、図９においては一部構成の図示を省略する。
【００８９】
図９に示すように、第４実施形態に係るデシカント窓４は、第２実施形態と同様に、概略的に２枚の板材１０（図示省略）と、周端部材２０（図示省略）と、複数の第１デシカントプリズム（デシカントエレメント、三角柱プリズム、デシカントプリズム）６０とを備えている。さらに、デシカント窓４は、複数の第１太陽熱受領部（太陽熱受領部）７０を備えており、第２太陽熱受領部９０を備えない構成となっている。なお、第１太陽熱受領部７０は、第１デシカントプリズム６０の第２の辺６０ｂに接して設けられている。
【００９０】
さらに、第４実施形態に係るデシカント窓４は、第２実施形態に係る複数の第２デシカントプリズム８０に代えて、デシカントエレメント（第２デシカントエレメント）１００を備えている。
【００９１】
図１０は、図９に示した第１デシカントプリズム６０、第１太陽熱受領部７０、及びデシカントエレメント（第２デシカントエレメント）１００を示す拡大断面図である。図１０に示すように、第４実施形態においてデシカントエレメント１００は、第１デシカントプリズム６０よりも室内側において、透明性且つ多孔質性の外壁部材（透明性管）１０１と、これに封入された吸湿性液体Ｌｉとから構成されている。同様に第１デシカントプリズム６０についても、透明性且つ多孔質性の外壁部材（透明性管）６１と、これに封入された吸湿性液体Ｌｉとから構成されている。なお、第４実施形態において外壁部材１０１は像回復効果をもたらすために三角管となっているが、特にこれに限られるものではない。
【００９２】
再度、図９を参照する。さらに、第４実施形態に係るデシカント窓４は、第１接続配管１１１と、第２接続配管１１２と、チューブポンプＴＰとを備えている。
【００９３】
第１接続配管１１１は、第１デシカントプリズム６０の一端側とデシカントエレメント１００の一端側とを接続する配管であり、第２接続配管１１２は、第１デシカントプリズム６０の他端側とデシカントエレメント１００の他端側とを接続する配管である。このうち少なくとも第１接続配管１１１は、ゴム等の弾性体からなるチューブ体によって構成されている。
【００９４】
チューブポンプＴＰは、第１デシカントプリズム６０の内部の吸湿性液体Ｌｉを、デシカントエレメント１００まで送るための動力となるものである。このチューブポンプＴＰは、弾性のチューブ体からなる第１接続配管１１１に押圧可能な複数のローラＲを備え、複数のローラＲが第１接続配管１１１に押圧されながら移動（回転）することで、第１接続配管１１１内の吸湿性液体Ｌｉをデシカントエレメント１００に送り込む。
【００９５】
このような構成であるため、第１デシカントプリズム６０の内部の吸湿性液体Ｌｉは、チューブポンプＴＰの回転によって、デシカントエレメント１００まで送り込まれ、デシカントエレメント１００の吸湿性液体Ｌｉは押し出されるように、第２接続配管１１２を通じて第１デシカントプリズム６０に戻る。
【００９６】
次に、第４実施形態に係るデシカント窓４の作用を説明する。
【００９７】
まず、太陽光が第１ガラス１０ａを介して第１デシカントプリズム６０に至る。第１デシカントプリズム６０では３種の光路ＯＰ４〜ＯＰ６が実現されることから、第１太陽熱受領部７０は効率良く太陽光を受光して太陽熱を受領し、第１デシカントプリズム６０を加熱する。これにより、第１デシカントプリズム６０の内部の吸湿性液体Ｌｉは、外壁部材６１及び第１ガラス１０ａを介して湿気を外気に放出する。
【００９８】
一方、デシカントエレメント１００は、室内側の湿気を取り込むこととなる。すなわち、室内側の湿気は第２ガラス１０ｂ及び外壁部材１０１を介してデシカントエレメント１００に吸収される。よって、室内側には除湿効果がもたらされることとなる。
【００９９】
ここで、第４実施形態に係るデシカント窓４では、チューブポンプＴＰが動作している。このため、デシカントエレメント１００には、第１デシカントプリズム６０によって再生された吸湿性液体Ｌｉが供給される。また、湿気を吸収したデシカントエレメント１００の内部の吸湿性液体Ｌｉは、第２接続配管１１２を通じて第１デシカントプリズム６０に戻される。
【０１００】
このように、第４実施形態に係るデシカント窓４は、第１デシカントプリズム６０とデシカントエレメント１００とで吸湿性液体Ｌｉを循環させることで、室内を継続的に除湿することができる。
【０１０１】
このようにして、第４実施形態に係るデシカント窓４によれば、第２実施形態と同様に、室内の調湿効果を高めることができ、窓として使用可能なデシカント窓４を提供することができる。
【０１０２】
さらに、第４実施形態によれば、第１デシカントプリズム６０の吸湿性液体Ｌｉとデシカントエレメント１００の吸湿性液体Ｌｉとが循環可能に配管接続されているため、第１デシカントプリズム６０において吸湿性液体Ｌｉは加熱されて再生され、デシカントエレメント１００において吸湿性液体Ｌｉは室内から吸湿を行う。そして、吸湿性液体Ｌｉを循環させることになるため、継続的な除湿効果を室内側にもたらすことができる。
【０１０３】
次に本発明の第５実施形態を説明する。第５実施形態に係るデシカント窓は以下の構成となっている。以下、第５実施形態の説明において、第４実施形態と同一又は同様の要素には同一の符号を付すものとする。
【０１０４】
図１１は、第５実施形態に係るデシカント窓を示す斜視図である。なお、図１１においては一部構成の図示を省略する。図１１に示すように、デシカント窓５は、第４実施形態に係る第２接続配管１１２を備えず、第１配管１１３と、第２配管１１４と、中間器具１２０とを備えている。なお、第５実施形態において第１デシカントプリズム６０及びデシカントエレメント１００の外壁部材６１，１０１は、水蒸気を透過する多孔質管ではなく、水蒸気を不透過とする管で構成されている。さらに、２枚の板材１０についても水蒸気透過性ではなく、不透過の素材で構成されている。
【０１０５】
第１配管１１３は、デシカントエレメント１００の内部に室内空気を送り込むための吸気配管１１３ａと、デシカントエレメント１００内の空気を排出する排気配管１１３ｂとを備えている。吸気配管１１３ａは、例えば不図示のブロワー等が接続され、室内空気をデシカントエレメント１００の一端側に送り込む。排気配管１１３ｂは、一端がデシカントエレメント１００の他端側に接続され、他端が中間器具１２０の第１室１２０ａに接続されており、デシカントエレメント１００内の空気を排出する機能のほか、デシカントエレメント１００内の吸湿性液体Ｌｉを中間器具１２０に排出するものとしても機能する。
【０１０６】
第２配管１１４は、第１デシカントプリズム６０内の水蒸気を排出するための配管である。この第２配管１１４は、一端が第１デシカントプリズム６０の他端側に接続され、他端が中間器具１２０の第２室１２０ｂに接続されており、水蒸気を排出する機能のほか、中間器具１２０から吸湿性液体Ｌｉを導入するものとして機能するものである。
【０１０７】
中間器具１２０は、断面Ｕ字形状となる下部材１２１と、断面Ｔ字形状となる上部材１２２とから構成されており、Ｔ字の縦部材１２２ａが下部材１２１の底面１２１ａに接触しない状態で差し込まれるように配置されている。
【０１０８】
また、縦部材１２２ａが底面１２１ａに接触しないことから、隙間Ｓが形成される。中間器具１２０は、縦部材１２２ａにより隔てられる一方側（排気配管１１３ｂの接続側）が第１室１２０ａとなり、他方側（第２配管１１４の接続側）が第２室１２０ｂとなる。
【０１０９】
また、中間器具１２０は、Ｕ字の両端部１２１ｂが上部材１２２に接触しない状態となっており、隙間が形成される。隙間のうち第１室１２０ａ側の隙間は室内に接続される第１開口部Ｏ１となり、第２室１２０ｂ側の隙間は室外に接続される第２開口部Ｏ２となる。
【０１１０】
次に、第５実施形態に係るデシカント窓５の作用を説明する。
【０１１１】
まず、太陽光が第１ガラス１０ａを介して第１デシカントプリズム６０に至る。第１デシカントプリズム６０では３種の光路ＯＰ４〜ＯＰ６が実現されることから、第１太陽熱受領部７０は効率良く太陽光を受光して太陽熱を受領し、第１デシカントプリズム６０を加熱する。これにより、第１デシカントプリズム６０の内部の吸湿性液体Ｌｉは水蒸気（湿気）を放出する。この水蒸気は、第２配管１１４を通じて中間器具１２０の第２室１２０ｂに至り、第２室１２０ｂ側の第２開口部Ｏ２から室外に排出される。
【０１１２】
一方、加熱により再生された吸湿性液体Ｌｉは、チューブポンプＴＰによって第１接続配管１１１を通じてデシカントエレメント１００内に至る。デシカントエレメント１００内には、吸気配管１１３ａを通じて室内空気が送り込まれ、デシカントエレメント１００内の吸湿性液体Ｌｉは送り込まれた室内空気から湿気を吸収する。湿気が吸収された空気は排気配管１１３ｂを通じて中間器具１２０の第１室１２０ａに至り、第１室１２０ａ側の第１開口部Ｏ１から室内に排出される。
【０１１３】
また、デシカントエレメント１００内の吸湿性液体Ｌｉは、湿気を吸収した状態で排気配管１１３ｂを通じて中間器具１２０の第１室１２０ａに至る。第１室１２０ａ内の吸湿性液体Ｌｉは、縦部材１２２ａと底面１２１ａとの隙間Ｓを介して第２室１２０ｂに至り、第２配管１１４を通じて第１デシカントプリズム６０に戻される。
【０１１４】
このように、第５実施形態に係るデシカント窓４は、第１デシカントプリズム６０とデシカントエレメントとで吸湿性液体Ｌｉを循環させることで、室内を継続的に除湿することができる。しかも、中間器具１２０の第２開口部Ｏ２を通じて水蒸気を室外に排出すると共に、第１開口部Ｏ１を通じて除湿された空気を室内に供給するため、第１デシカントプリズム６０やデシカントエレメント１００の外壁部材６１，１０１及び２枚の板材１０を水蒸気透過性のものにする必要がなくなる。
【０１１５】
このようにして、第５実施形態に係るデシカント窓５によれば、第４実施形態と同様に、室内の調湿効果を高めることができ、窓として使用可能なデシカント窓５を提供することができる。また、吸湿性液体Ｌｉを循環させて継続的な除湿効果を室内側にもたらすことができる。
【０１１６】
さらに、第５実施形態によれば、デシカントエレメント１００の内部に室内空気を送り込むと共に、デシカントエレメント１００内の空気を排出する第１配管１１３と、第１デシカントプリズム６０内の水蒸気を排出する第２配管１１４とを備えるため、水蒸気透過性の部材を用いる必要がなく、第１配管１１３や第２配管１１４を通じて除湿や湿気の破棄を行うことができる。
【０１１７】
次に本発明の第６実施形態を説明する。第６実施形態に係るデシカント窓は以下の構成となっている。以下、第６実施形態の説明において、第５実施形態と同一又は同様の要素には同一の符号を付すものとする。
【０１１８】
図１２は、第６実施形態に係るデシカント窓を示す断面図である。なお、図１２においては、一部構成の図示を省略する。
【０１１９】
図１２に示すように、第６実施形態に係るデシカント窓６は、第５実施形態に示した構成（２枚の板材１０、第１デシカントプリズム６０、デシカントエレメント１００、第１太陽熱受領部７０、各配管１１１，１１３，１１４、中間器具１２０、及びチューブポンプＴＰ）に加えて、第１空気流路ＡＰ１と、第２空気流路ＡＰ２と、ポンプ（ポンプ手段）Ｐと、滴下部（滴下手段）１３０とを備えている。
【０１２０】
第１空気流路ＡＰ１は、一端が外部に接続され、第２ガラス１０ｂ側に隣接する少なくとも上下方向に延びた流路である。なお、第１空気流路ＡＰ１は、第２ガラス１０ｂ側に隣接して上下方向に延びる限り蛇行等していてもよい。ポンプＰは、第１空気流路ＡＰ１に対して外気を送り込むものである。
【０１２１】
第２空気流路ＡＰ２は、一端が第１空気流路ＡＰ１の他端に接続されると共に他端が外部に接続された流路である。この第２空気流路ＡＰ２は、一方側が第１空気流路ＡＰ１に隣接すると共に他方側が室内に隣接する少なくとも上下方向に延びた流路である。なお、第２空気流路ＡＰ２は、一方側が第１空気流路ＡＰ１に隣接し且つ他方側が室内に隣接して上下方向に延びる限り蛇行等していてもよい。滴下部１３０は、第２空気流路ＡＰ２の一方側と他方側との双方の内面に液体（水）を滴下するものである。
【０１２２】
次に、第６実施形態に係るデシカント窓６の作用を説明する。
【０１２３】
まず、ポンプＰが第１空気流路ＡＰ１に外気（空気）を送り込む。第１デシカントプリズム６０とデシカントエレメント１００とでは吸湿性液体Ｌｉが循環しており、第１空気流路ＡＰ１を流れる空気が除湿され、湿気は外気に破棄される。
【０１２４】
除湿された空気は第２空気流路ＡＰ２に至る。第２空気流路ＡＰ２においては液体が滴下されていることから、除湿された空気によって液体を気化させて気化熱により室内側（他方側）を冷却する。加えて、第１空気流路ＡＰ１側の液体も気化させて冷却することから、第１空気流路ＡＰ１から第２空気流路ＡＰ２に流入する空気も冷却されて、冷却空気が第２空気流路ＡＰ２を流れることによっても室内を冷却する。
【０１２５】
このようにして、第６実施形態に係るデシカント窓６によれば、第５実施形態と同様に、第２ガラス１０ｂ側の第１空気流路ＡＰ１を効率良く除湿することから、第２空気流路ＡＰ２における気化をより効率良く行うことができ、調温効果（冷房効果）を高めることができる。また、各流路ＡＰ１，ＡＰ２を構成する部材や液体を透明性のものとすれば、窓として使用可能なデシカント窓６を提供することができる。また、水蒸気透過性の部材を用いる必要がなく、第１配管１１３や第２配管１１４を通じて除湿や湿気の破棄を行うことができる。
【０１２６】
さらに、第６実施形態によれば、一端が外部に接続され、第２ガラス１０ｂ側に隣接する少なくとも上下方向に延びた第１空気流路ＡＰ１を備えるため、外部からの空気は第２ガラス１０ｂ側から吸湿されて乾いたものとなる。また、第１空気流路ＡＰ１に隣接する第２空気流路ＡＰ２を備え、第２空気流路ＡＰ２の一方側（第１空気流路ＡＰ１の隣接側）と他方側（室内側）とに液体を滴下するため、乾いた空気によって液体を蒸発させて室内側を冷却することができる。加えて、第１空気流路ＡＰ１側も液体を蒸発させて冷却することから、第１空気流路ＡＰ１から第２空気流路ＡＰ２に流入する空気も冷却されて、冷却空気が第２空気流路ＡＰ２を流れることによっても室内を冷却することができる。従って、室内に冷房効果をもたらすことができる。
【０１２７】
以上、実施形態に基づき本発明を説明したが、本発明は上記実施形態に限られるものではなく、本発明の趣旨を逸脱しない範囲で、変更を加えてもよいし、可能な範囲で適宜各実施形態に記載の技術を組み合わせてもよい。さらに、可能な範囲で公知又は周知の技術を組み合わせてもよい。
【０１２８】
例えば、上記実施形態においては図３，６，７，９に示す回転機構５０を示したが、回転機構５０は図示したものに限られるものではなく、種々の構成を採用可能である。
【０１２９】
さらに、上記実施形態において２枚の板材１０として平板を用いたが、これに限るものではない。図１３は、変形例に係るデシカント窓１〜６を示す断面図である。なお、図１３において２枚の板材１０と周端部材２０によって挟まれる空間側の構成については図示を省略する。
【０１３０】
図１３に示すように、２枚の板材１０は、ルーバー構成となる複数の板材１１，１２によって構成されていてもよい。詳細には複数の板材１１，１２は、立面状態で用いられる場合、それぞれ鉛直方向に対してやや傾いて延びるものであって、上端側及び下端側がそれぞれ隣接する板材１１，１２に隙間を有して積層状態となっている。このような構成であっても、複数の板材１１，１２が透明性であれば太陽光を取り入れて第１太陽熱受領部７０等に導くことができる。また、複数の板材１１，１２に隙間を有していることから、水蒸気透過性の板材を使用する必要がなくなる。なお、２枚の板材１０の双方が複数の板材１１，１２によって構成される場合に限らず、いずれか一方のみが複数の板材１１，１２によって構成されていてもよい。
【０１３１】
加えて、２枚の板材１０は、１枚の板材に限らず、２枚以上の板材の端面同士が接着される等して形成されたものであってもよいし、平面視（正面視）して隙間を有するルーバー構成とされていてもよい。
【０１３２】
また、第５実施形態において外壁部材６１，１０１や２枚の板材１０については、水蒸気を不透過とする素材で構成されているが、これに限らず、水蒸気透過性のもので構成されていてもよい。加えて、第１〜第３実施形態においても、吸湿性液体Ｌｉを利用して構成し、且つ、中間器具１２０等を使用して、水蒸気を不透過とする素材で各部を構成してもよい。
【０１３３】
さらに、デシカントプリズム６０，８０は、以下のように構成されていてもよい。図１４は、第２変形例に係るデシカント窓１〜６を示す断面図である。図１４に示す例に係るデシカント窓１〜６は、概略的に２枚の板材１０と、周端部材２０と、第１ユニット１４０と、第２ユニット１５０と、２枚の隔離壁（外壁部材）１６０とを備えている。
【０１３４】
第１ユニット１４０及び第２ユニット１５０は、２枚の板材１０と周端部材２０とで形成される内部空間に配置されるものである。このような第１ユニット１４０と第２ユニット１５０とは２枚の隔離壁１６０によって気密に隔てられている。これらの２枚の隔離壁１６０は透明性の板材によって構成されており、２枚の板材１０のうち第１板材１０ａ側を第１ユニット１４０とし、２枚の板材１０のうち第２板材１０ｂ側を第２ユニット１５０となるように、これらを隔てている。なお、２枚の隔離壁１６０の間は真空断熱層（隔離層）ＶＩＬとなる。
【０１３５】
より詳細に説明すると、２枚の隔離壁１６０は、双方が断面視してジグザグ状となっており、２枚の隔離壁１６０のうちの第１壁１６１と第１板材１０ａとによって複数の第１内部空間ＩＳ１が形成されている。複数の第１内部空間ＩＳ１は、それぞれが断面視して三角形となっている。この第１内部空間ＩＳ１には、吸湿性液体Ｌｉが満たされている。この結果、吸湿性液体Ｌｉと第１壁１６１とによって第１デシカントプリズム６０が形成されている。すなわち、第１デシカントプリズム６０は、第１板材１０ａを利用して三角柱形状を維持するものであってもよい。なお、第１太陽熱受領部７０は、このような第１デシカントプリズム６０の第２の辺６０ｂとなる位置に設けられている。第１太陽熱受領部７０は、第１内部空間ＩＳ１側において第１壁１６１に接していてもよいし、第１内部空間ＩＳ１の外側において第１壁１６１に接していてもよい。また、第１内部空間ＩＳ１には吸湿性の固体やゲル状体が封入されて第１デシカントプリズム６０が構成されていてもよい。
【０１３６】
同様に、２枚の隔離壁１６０のうちの第２壁１６２と第２板材１０ｂとによって複数の第２内部空間ＩＳ２が形成されている。複数の第２内部空間ＩＳ２は、それぞれが断面視して三角形となっている。この第２内部空間ＩＳ２には、吸湿性液体Ｌｉが満たされている。この結果、吸湿性液体Ｌｉと第２壁１６２とによって第２デシカントプリズム８０が形成されている。すなわち、第２デシカントプリズム８０は、第２板材１０ｂを利用して三角柱形状を維持するものであってもよい。なお、第２太陽熱受領部９０は、このような第２デシカントプリズム８０の第５の辺８０ｂとなる位置に設けられている。第２太陽熱受領部９０は、第２内部空間ＩＳ２側において第２壁１６２に接していてもよいし、第２内部空間ＩＳ２の外側において第２壁１６２に接していてもよい。また、第２内部空間ＩＳ２には吸湿性の固体やゲル状体が封入されて第２デシカントプリズム８０が構成されていてもよい。
【０１３７】
加えて、デシカントプリズム６０，８０に限らず、三角柱プリズム３０やデシカント熱受領部４０等についても同様に構成されていてもよい。
【０１３８】
さらには、第４実施形態に記載の吸湿性液体Ｌｉの循環構造については、第１〜第３実施形態に記載のデシカント窓１〜３に適用されてもよい。この場合、第１実施形態について、三角柱プリズム３０及びデシカント熱受領部４０が吸湿性液体Ｌｉを有するように構成され、第２，３実施形態について、第１及び第２デシカントプリズム６０，８０が吸湿性液体Ｌｉを有して構成されることとなる。
【０１３９】
また、第３実施形態に記載のデシカント窓３についてモータ（駆動手段）等の動力を利用して、第１デシカントプリズム６０の第２の辺６０ｂと第２デシカントプリズム８０の第５の辺８０ｂとのいずれか一方に対して第１太陽熱受領部７０を接触させる場合において、第４実施形態に記載の吸湿性液体Ｌｉの循環構造を適用すれば、第１太陽熱受領部７０の移動によって継続的な加湿と除湿とを行うことができることから、回転機構５０を取り除くようにしてもよい。
【符号の説明】
【０１４０】
１〜６  ：デシカント窓（デシカント建具）
１０    ：２枚の板材
１０ａ  ：第１ガラス（第１板材）
１０ｂ  ：第２ガラス（第２板材）
１１，１２：複数の板材
３０    ：三角柱プリズム
３０ａ  ：第１の辺
３０ｂ  ：第２の辺
３０ｃ  ：第３の辺
４０    ：デシカント熱受領部（デシカントエレメント、太陽熱受領部）
４１    ：プリズム（デシカントエレメント）
４２    ：選択吸収部（太陽熱受領部）
５０    ：回転機構
６０    ：第１デシカントプリズム
（デシカントエレメント、三角柱プリズム、デシカントプリズム）
６０ａ  ：第１の辺
６０ｂ  ：第２の辺
６０ｃ  ：第３の辺
６１    ：外壁部材（透明性管）
７０    ：第１太陽熱受領部（太陽熱受領部）
８０    ：第２デシカントプリズム（第２デシカントエレメント、第２三角柱プリズム）
８０ａ  ：第４の辺
８０ｂ  ：第５の辺
８０ｃ  ：第６の辺
９０    ：第２太陽熱受領部
１００  ：デシカントエレメント（第２デシカントエレメント）
１０１  ：外壁部材（透明性管）
１１３    ：第１配管
１１４    ：第２配管
１２０    ：中間器具
１３０    ：滴下部（滴下手段）
１４０    ：第１ユニット
１５０    ：第２ユニット
１６０    ：２枚の隔離壁（外壁部材）
ＡＰ１    ：第１空気流路
ＡＰ２    ：第２空気流路
Ｌ        ：積層体（構造体）
Ｌｉ      ：吸湿性液体
ＯＰ１〜ＯＰ６  ：光路
Ｐ        ：ポンプ（ポンプ手段）
ＴＰ      ：チューブポンプ
【図１】
2019112889.tif 000003
【図２】
2019112889.tif 000004
【図３】
2019112889.tif 000005
【図４】
2019112889.tif 000006
【図５】
2019112889.tif 000007
【図６】
2019112889.tif 000008
【図７】
2019112889.tif 000009
【図８】
2019112889.tif 000010
【図９】
2019112889.tif 000011
【図１０】
2019112889.tif 000012
【図１１】
2019112889.tif 000013
【図１２】
2019112889.tif 000014
【図１３】
2019112889.tif 000015
【図１４】
2019112889.tif 000016